(57)【特許請求の範囲】
【請求項１】
人の腰部から腹部に巻回される帯状の腰ベルト（１１）と、この腰ベルトの内側中央部に設けられ人の腰椎部に対向して当接される腰部支持部材（１３）と、前記腰ベルトの内側両側部に設けられ人の腰部側面の左右一対の腸骨部に対向して当接される一対の側部支持部材（１２）と、前記腰ベルト中央下部に設けられ臀部上方から股関節を覆い下腹部で両端部同士が繋がれて巻き付けられる補助ベルト（１７，１８）とを備え、
前記腰部支持部材と前記側部支持部材は、軟質樹脂、硬質ゴム、発泡樹脂、又は立体構造布帛から成り、前記腰ベルトの締めつけ力で潰れない程度の曲げ硬さと厚み及び弾力性を有し、衝撃吸収性を有する材料により形成され、前記側部支持部材が前記腰部支持部材に対して位置調節自在に設けられ、
前記側部支持部材は、中央部に凹部が形成され、この凹部周縁が腸骨棘を囲むように前記腸骨部に当接され、前記一対の側部支持部材の厚みにより、前記腰ベルトの内側面と、前記一対の側部支持部材間の前記腹部表面との間に空間を形成し、前記腹部の圧迫を軽減するように設けられ、
前記腰ベルトと前記腰部支持部材、及び前記側部支持部材の少なくとも一方の内側には、滑り止め部が形成されていることを特徴とする腰用サポータ。
【請求項２】
前記一対の側部支持部材（１２）の厚みが１０〜３０ｍｍに形成され、前記腰部支持部材（１３）は、腰椎上方に当接される部分が腰椎下方に位置する部分より厚く形成されている請求項１記載の腰用サポータ。
【請求項３】
前記腰ベルト（１１）は、前記補助ベルト（１７，１８）に加えて、前記腰ベルトの外側面に、背中部から両脇部を経て腹部両側に達して前記腰ベルトに両端部が固定され腰部に巻回される補強ベルト（１５）を備えている請求項２記載の腰用サポータ。
【発明の詳細な説明】
【技術分野】
【０００１】
この発明は、腰痛時や腰痛予防のために、腰部への負担を軽減するために腰に装着する腰用サポータに関する。
【背景技術】
【０００２】
今日、腰に不安を抱える人は非常に多く、スポーツ時あるいは日常動作においても、腰痛の軽減や予防のため、様々な腰用サポータやコルセットが製造・販売され、使用されている。これらの腰用サポータ及びコルセットは、人体の胴部に強い力で巻きつけるものであり、胴回り方向の強い圧迫力により腰椎に無理のかからない安定した姿勢を保持し、腹筋や背筋及び腰椎、その他の脊椎の負担を軽減させ、痛みや不安を緩和させるものである。
【０００３】
このため、これら腰用サポータやコルセットには、比較的しっかりした材料が用いられている。さらに症状が重い場合には、ギブス等を用いて患部を強制的に固定することもある。これは、痛みが発生する動作を制限することにより、痛みを緩和させるものである。
【０００４】
これらの腰用サポータやコルセットとしては、特許文献１に開示されているように、単体の伸縮素材からなる帯状のベルトの両端に面ファスナを設けて装着可能とし、伸縮部材の所定部位にパッド等を備え、腰部のホールド性を持たせたものが一般に用いられている。また、より締め付け力や保持力を高めるために特許文献２に開示されているように、腰部を保持する腰部固定帯と骨盤を保持する骨盤固定帯を腰部で一体的に連結した医療用コルセットが提案されている。また、特許文献３，４に開示されているように、腰部の保持効果を高め、装着も容易な腰用サポータとして、サポータとしての主帯と、主帯の保持力を高める副帯を設けて、確実に腰部にサポータが装着されるようにしたものもある。
【０００５】
その他、特許文献５に開示されているように、より位置ずれを防止し、腰部の保持効果を高めた構造のコルセットとして、腰部に巻き付ける上帯部とその下の中間帯部を中央部で連結して一体的に設けるとともに、一対の大腿部を包囲する下帯を中間帯部から連続して一対設けたコルセットも提案されている。
【特許文献１】特開２００４−２７７９３６号公報
【特許文献２】特開２００４−２０９０５０号公報
【特許文献３】特開２００４−１２１２７８号公報
【特許文献４】特開平１１−１９２２５０号公報
【特許文献５】特開平１０−１５５８２６号公報
【発明の開示】
【発明が解決しようとする課題】
【０００６】
上記従来の技術のサポータやコルセットの場合、腹部から腰部の辺りの胴回り全周を強い圧迫力で締めつけることにより、姿勢を固定し腰部の痛みを軽減する。この際、腰部に巻き付けられた帯部により、柔らかい腹部が強い力で締めつけられるため、暑苦しい上に腹部の圧迫による不快感が強く、呼吸困難や食欲不振を引き起こすことも多い。
【０００７】
一方、圧迫感無く固定する方法として、ギブスによる固定があるが、この場合硬いギブスで腰部を固定するため、腹部のしめつけ感はやや小さいものの、体を広範囲にわたって拘束するため、動作が著しく制限され、装着者にとってはさらに不快感が強いものである。
【０００８】
この発明は、上記背景技術に鑑みて成されたもので、腹部の締めつけ力を軽減し、快適な着用感を有する腰用サポータを提供することを目的とする。
【課題を解決するための手段】
【０００９】
この発明は、上記目的を達成するために、締め付けによる応力を背中の腰椎部と骨盤の一部である左右腸骨部の３点に持たせ、硬い骨部を利用して腰部の締め付けを行うようにしたものである。即ち、腰椎部に巻きつけるための腰ベルトに、左右側部の腸骨部と腰椎部に支持部材を配置する。このことにより、着用締めつけ時の応力がこの３カ所の部材に集中し、その結果、腹部にかかる圧迫力を軽減するものである。
【００１０】
この発明は、人の腰部から腹部に巻回される帯状の腰ベルトと、この腰ベルトの内側中央部に設けられ人の腰椎部に対向して当接される腰部支持部材と、前記腰ベルトの内側両側部に設けられ人の腰部側面の左右一対の腸骨部に対向して当接される一対の側部支持部材と、前記腰ベルト中央下部に設けられ、臀部上方から股関節を覆い、下腹部で両端部同士が繋がれて巻き付けられる補助ベルトとを備えている腰用サポータである。
【００１１】
さらに、前記腰部支持部材と前記側部支持部材は、軟質樹脂、硬質ゴム、発泡樹脂、又は立体構造布帛から成り、前記腰ベルトの締めつけ力で潰れない程度の曲げ硬さと厚み及び弾力性を有し、衝撃吸収性を有する材料により形成され、前記側部支持部材が前記腰部支持部材に対して位置調節自在に設けられ、前記側部支持部材は、中央部に凹部が形成され、この凹部周縁が腸骨棘を囲むように前記腸骨部に当接され、前記一対の側部支持部材の厚みにより、前記腰ベルトの内側面と、前記一対の側部支持部材間の前記腹部表面との間に空間を形成し、前記腹部の圧迫を軽減するように設けられているものである。
【００１２】
さらに、前記一対の側部支持部材の厚みが１０〜３０ｍｍに形成され、前記腰部支持部材は、腰椎部上方に当接される部分が腰椎部下方に位置する部分より厚く形成されている。
【００１３】
前記腰ベルトと前記腰部支持部材、及び前記側部支持部材の少なくとも一方の内側には、滑り止め部が形成されている。
【００１４】
前記腰ベルトには、股関節と大腿部の少なくとも一方を覆う保持部材が設けられているものでも良い。前記腰ベルトは、前記補助ベルトに加えて、前記腰ベルトの外側面に、背中部から両脇部を経て腹部両側に達して前記腰ベルトに両端部が固定され腰部に巻回される補強ベルトが設けられているものでも良い。
【発明の効果】
【００１５】
この発明の腰用サポータは、腰部に巻き付ける腰ベルトに、腰椎部に対向して当接される腰部支持部材と、左右一対の腸骨部に対向して当接される一対の側部支持部材とを備え、左右腸骨部の２点と腰椎部に対向した１点をそれぞれ覆うように腰ベルトを締め付けるので、着用時にはこの３点の部材に締め付けによる応力が集中し、腹部への圧迫力が大幅に軽減されるものである。
【００１６】
また、左右の腸骨部に当てる側部支持部材を位置調節自在に設け、当接位置を調節して腹部側に配置することにより、さらに圧迫感を緩和することが出来る。特に、側部支持部材の中央部に凹部を形成することにより、この凹部が腸骨棘を囲むように当接され、支持部材の位置ずれを防ぐとともに、腸骨棘への極端な応力集中を緩和する。
【発明を実施するための最良の形態】
【００１７】
以下、この発明の実施形態について図面に基づいて説明する。図１〜図５はこの発明の一実施形態を示すもので、この実施形態の腰用サポータ１０は、図１に示すように、伸縮自在のニット地により形成された帯状の腰ベルト１１と、腰ベルト１１の裏面側の、腰部側面左右の腸骨部に当接する部分に配置される側部支持部材１２と、背中の腰椎部に当接する部分に配置される腰部支持部材１３が位置調節自在に設けられている。
【００１８】
側部支持部材１２は、図５に示す人の腰部ｗの横断面において、腸骨２０の腸骨棘２０ａに対向する位置に当てられるもので、腸骨２０により腰ベルト１１の締め付け力を受ける。また、腰部支持部材１３は、背中の腰椎２１に対応して設けられ、腰椎２１をサポートする。
【００１９】
腰部側面左右の腸骨部と腰椎部に配置する側部支持部材１２と腰部支持部材１３は、腰ベルト１１の締めつけ力で潰れない程度の硬さが必要であるが、硬すぎると体へ強くあたる等の問題も生じる。従って、材質としては、軟質樹脂、硬質ゴム、発泡樹脂、モノフィラメント糸を使用したダブルラッセル生地等の立体構造布帛など、腰ベルト１１の締めつけ力に対して、座屈せず潰れない程度の適宜の曲げ硬さと厚み及び弾力性のある部材が適している。例えば、スチレン系エラストマーの架橋発泡体からなる低反発発泡体や、エチレンビニルアルコール（以下、ＥＶＡと称す）から成る発泡樹脂等を所定の厚さにして用いることが出来る。これらの材料は、ＪＩＳＫ６７６７による２５％圧縮硬さ試験値が、スチレン系エラストマーでは２．６Ｎ／ｃｍ２、ＥＶＡでは４．０２Ｎ／ｃｍ２のものがあり、側部支持部材１２や腰部支持部材１３に適している。
【００２０】
側部支持部材１２と腰部支持部材１３の裏面には、図示しない面ファスナが取り付けられ、腰ベルト１１の面ファスナの任意の位置に位置調節して張り付け可能に設けられている。
【００２１】
腰ベルト１１の一方の端部裏面には、面ファスナ１４の雄部材が設けられ、腰ベルト１１の他方端部の表面の生地に張り付け可能に設けられている。さらに、腰用サポータ１０の外側面には、図２に示すように、背中部から両脇部を経て腹部両側に達して、腰ベルト１１に両端部が固定された帯ゴム等から成る補強ベルト１５が設けられている。
【００２２】
左右腸骨部と腰椎部に配置する側部支持部材及び１２腰部支持部材１３の厚さは、使用目的、使用環境等により適した厚さを選択すればよいが、例えば１０〜３０ｍｍ程度の厚さが好ましい。これにより、腹部に空間を生じ、圧迫感を除去する。
【００２３】
さらに、側部支持部材１２、腰部支持部材１３として、衝撃吸収力の高い素材を用いることにより、転倒時における腸骨や尾てい骨等の骨折や怪我を予防することもできる。衝撃吸収力の高い素材としても、上記スチレン系エラストマーの低反発軟質発泡体やＥＶＡ発泡樹脂が適している。この発明の側部支持部材１２や腰部支持部材１３の材料として期待される衝撃吸収性は、衝撃吸収率にして、５０％以上が望ましい。
【００２４】
また、左右の腸骨部に当てる側部支持部材１２は、応力が腸骨稜、特に、腸骨棘２０ａに集中するため、この部分に痛みを感じることがある。そこで、側部支持部材１２の中央を凹型形状にし、凹部１２ａにより腸骨棘２０ａを包み込んであてがうよう配置することにより、応力は腸骨部全体に分散され、腸骨棘２０ａの痛みが緩和される。
【００２５】
さらに、腰ベルト１１の内側、好ましくは臀部部分に、滑り止め加工や処理を施すことにより、腰ベルト１１のずり上がりを止めることができる。滑り止め加工・処理の例としては、滑り止め効果のある樹脂をプリントする、あるいは縫いつけるなど、その他の方法でも可能である。側部支持部材１２や腰部支持部材１３の人体側の面にも滑り止め加工・処理を行っても良い。
【００２６】
背中の腰椎部に配置する腰部支持部材１３は、装着状態で逆台形状に形成され、上方側は厚く、下方に向かうに従い厚さも薄くなっている形状である。これにより、腰椎部に当てられる部材がより強く腰椎部に押し付けられ、より腰椎部の安定感が増し、腰痛予防効果を高めることができる。
【００２７】
また、着用時の暑さや蒸れを軽減するために、左右腸骨部と腰椎部に配置する側部支持部材１２、腰部支持部材１３は、通気等のための穴を開けてもよい。その他、ダブルラッセル生地等の立体構造布帛を用いれば、さらに高い通気性を持たせることができる。
【００２８】
この実施形態の腰用サポータ１０は、腰部側面左右の腸骨部と腰椎部に当接するように配置された側部支持部材１２、腰部支持部材１３が、装着状態における締めつけ時の応力が左右腸骨部と腰椎部に配置された側部支持部材１２と腰部支持部材１３に分散されるとともに、この３カ所の部位に集中し、その結果、腹部にかかる圧迫力を軽減するものである。
【００２９】
さらに、使用に際して、左右の腸骨部に当てる側部支持部材１２を、体側側ではなく、極力、腹部側に配置するようにすれば、腰ベルト１１が、左右の側部支持部材１２に支えられて、腹部上から外側に離され、腹部から浮いた状態になる。これにより、さらに腹部の圧迫力を軽減することができる。
【００３０】
さらに、腰ベルト１１による締めつけ応力が、左右腸骨２０と背中の腰椎２１に各々対応する３カ所の部材に効果的に集中するため、それを覆う腰ベルト１１は、比較的伸縮性の高い、薄くて柔軟な材料を用いても良い。このような材料を用いることにより、体へのフィット感を高めると同時に、締めつけ感を緩和することができる。
【００３１】
次に、この発明の腰用サポータの特に好適な実施形態について図６を基にして説明する。ここで上記実施形態と同様の部材は同一の符号を付して説明を省略する。この実施形態の腰用サポータ２４は、腰部に当てられる部分の腰ベルト１１の中央部下端縁に連結された、保持部材である補助ベルト１７が設けられたものである。補助ベルト１７は、腰の下の臀部上方から股関節を覆うようにして巻き付けられ、下腹部で面ファスナ１４により両端部が繋がれるものである。また、補助ベルト１７の中央部には、滑り止め樹脂１６が印刷形成され、腰ベルト１１がずり落ちないようにしている。
【００３２】
これにより、股関節部が安定し、腰部全体の安定感がより一層増大する。また、着用者の体型や使用状況による腰ベルト１１のずり上がりも防止できる。
【００３３】
次に、腰用サポータの他の実施形態について図７、図８を基にして説明する。ここで上記実施形態と同様の部材は同一の符号を付して説明を省略する。この実施形態の腰用サポータ２６は、腰部に当てられる部分の腰ベルト１１の中央部に保持部材の補助ベルト１７が設けられているとともに、両大腿部を被覆する保持部材である補助ベルト１８が設けられたものである。
【００３４】
このように、大腿部にかけて全体的に包み込むような構造にすれば、安定感を高めると同時に人体と腰用サポータのずれを防ぎ、よりサポート効果を高めることができる。
【００３５】
また、図９に示すように、大腿部を保持部材である環状のパンツ部１９に通すようにしたものでも良い。これによっても、上記と同様の効果を得ることが出来る。
【００３６】
この発明の腰用サポータは、上記実施の形態に限定されるものではなく、医療用のコルセットも含むものであり、腰ベルトの材質や形状は問わないものであり、側部支持部材や腰部支持部材の材質や形状も、所望の曲げ硬さと厚み及び弾力性がある部材であれば、適宜使用することが出来るものである。
【実施例】
【００３７】
以下、この発明の腰用サポータの実施例についての実験結果を示す。図１０は、この発明の腰用サポータの着用時にかかる腹部への衣服圧を、従来の同形状の腰用サポータと比較したグラフである。従来品は、締めつけるほど腹部衣服圧が上昇するが、この発明による腰用サポータは、締めつけによる腹部衣服圧の差が少ない。
【００３８】
また、この発明の側部支持部材や腰部支持部材の材料としては、例えば株式会社第一化学社製のスチレン系エラストマーの発泡体である商品名「ピタフォーム」や、エチレンビニルアルコールの発泡体である商品名「トランスフォーム」を用いることが出来る。さらに、ハニカム構造の立体構造布帛も側部支持部材や腰部支持部材の材料として用いることができる。
【図面の簡単な説明】
【００３９】
【図１】この発明の一実施形態の腰用サポータの正面図である。
【図２】この発明の一実施形態の腰用サポータの背面図である。
【図３】この発明の一実施形態の腰用サポータに設けられる側部支持部材と腰部支持部材を示す斜視図である。
【図４】この発明の一実施形態の腰用サポータの装着状態を示す斜視図である。
【図５】この発明の一実施形態の腰用サポータを人が装着した状態を示す横断面図である。
【図６】この発明の好適な実施形態の腰用サポータの正面図である。
【図７】他の実施形態の腰用サポータの正面図である。
【図８】他の実施形態の腰用サポータの装着状態を示す斜視図である。
【図９】他の実施形態の腰用サポータの変形例を示す正面図である。
【図１０】この発明の実施例の腰用サポータと、従来の腰用サポータの使用状態での腹部への圧力を示すグラフである。
【符号の説明】
【００４０】
１０  腰用サポータ
１１  腰ベルト
１２  側部支持部材
１３  腰部支持部材
１４  面ファスナ
１５  補強ベルト
１６  滑り止め
１７，１８  補助ベルト
２０  腸骨
２０ａ  腸骨棘
２１  腰椎
【図１】
0004840881.tif 000002
【図２】
0004840881.tif 000003
【図３】
0004840881.tif 000004
【図４】
0004840881.tif 000005
【図５】
0004840881.tif 000006
【図６】
0004840881.tif 000007
【図７】
0004840881.tif 000008
【図８】
0004840881.tif 000009
【図９】
0004840881.tif 000010
【図１０】
0004840881.tif 000011